(57)【要約】【課題】  テープの長さ方向にラベルが整列されて剥離可能に貼着されテープが巻回されたラベルロールからラベルを確実に不完全な剥離状態にする。人手によるラベルの貼着作業の迅速化に寄与する。【解決手段】  ラベルロールＲを支持するラベルロール支持部２と、テープＴの引出し方向に並列されその間にテープＴを通過させる２つのガイド体３４，３５が設けられたラベル剥離部３とを備えている。ラベル剥離部３の第１のガイド体３４は、テープＴの裏面が摺擦されてテープＴからラベルＬを剥離させる。ラベル剥離部３の第２のガイド体３５は、テープＴの表面が摺擦されラベルＬが第１のガイド体３４で剥離される際に剥離の途中までラベルＬの剥離側端の反対側端を摺擦する。【選択図】図１
0003165047.tif 000002
【実用新案登録請求の範囲】
【請求項１】
テープの長さ方向にラベルが整列されて剥離可能に貼着されテープが巻回されたラベルロールを支持するラベルロール支持部と、テープの引出し方向に並列されその間にテープを通過させる２つのガイド体が設けられたラベル剥離部とを備えたラベル剥離装置において、ラベル剥離部のテープの引出先側に位置される第１のガイド体はテープのラベルが貼着されていない裏面が摺擦されてテープからラベルを剥離させ、ラベル剥離部のテープの引出元側に位置される第２のガイド体はテープのラベルが貼着されている表面が摺擦されラベルが第１のガイド体で剥離される際に剥離の途中までラベルの剥離側端の反対側端を摺擦するものであることを特徴とするラベル剥離装置。
【請求項２】
請求項１のラベル剥離装置において、ラベル剥離部から離間した位置にテープの引出先端部が固定されるテープ保持部が備えられていることを特徴とするラベル剥離装置。
【請求項３】
請求項１または２のラベル剥離装置において、ラベル剥離部は第２のガイド体よりもテープの引出元側に第２のガイド体との間にテープを通過させる第３のガイド体が設けられていることを特徴とするラベル剥離装置。
【請求項４】
請求項３のラベル剥離装置において、ラベル剥離部の第１のガイド体，第２のガイド体，第３のガイド体は円柱形に形成され軸中心が直線状に配置されていることを特徴とする剥離装置。
【請求項５】
請求項４のラベル剥離装置において、ラベル剥離部の第１のガイド体，第２のガイド体，第３のガイド体はテープの引出方向に対して角度を調整可能な共通のブラケットに固定されていることを特徴とする剥離装置。
【考案の詳細な説明】
【技術分野】
【０００１】
本考案は、テープの長さ方向にラベルが整列されて剥離可能に貼着されテープが巻回されたラベルロールからラベルを不完全に剥離するラベル剥離装置に係る技術分野に属する。
【背景技術】
【０００２】
商品の包装表面等に貼着されるラベルについては、剥離材が塗布されたシートにラベルが格子状に整列されて剥離可能に貼着されてなるラベルシートとして提供され、人手によって１枚ずつラベルをシートから剥離させて商品の包装表面等に貼着する貼着作業が行われていた。
【０００３】
最近、ラベルの貼着作業の容易化，迅速化を図るため、ラベラー（ラベル貼着具）が開発され普及してきている。ラベラーに使用されるラベルは、ラベルの連続供給を可能にするために、剥離材が塗布されたテープの長さ方向にラベルが単列，複数列に整列されて剥離可能に貼着されテープが巻回されてなるラベルロールとして提供される。なお、ラベラーは、テープからラベルを剥離する剥離機構と、ラベルを商品の包装表面等に押付けて貼着する貼着機構とを備えている。
【０００４】
ラベラーが普及した現在においても、損傷しやすいデリケートな商品の包装表面等にラベルを貼着する場合には人手による貼着作業が行われている状況がある。人手によるラベルの貼着作業では、ラベラーの貼着機構を人手に代替しラベラーの剥離機構を利用すれば、作業の容易化，迅速化を図ることができると想到される。そこで、ラベラーの剥離機構を人手によるラベルの貼着作業に適するように改良する技術の開発が要望されている。
【０００５】
従来、ラベラーの剥離機構を人手によるラベルの貼着作業に適するように改良することを指向した技術としては、例えば、特許文献１，２に記載のものが知られている。
【０００６】
特許文献１，２には、テープの長さ方向にラベルが整列されて剥離可能に貼着されテープが巻回されたラベルロールを支持するラベルロール支持部と、テープの引出し方向に並列されその間にテープを通過させる２つのガイド体が設けられたラベル剥離部とを備えたラベル剥離装置が記載されている。
【０００７】
特許文献１，２に係るラベル剥離装置は、ラベル剥離部の両ガイド体（第１のガイド体，第２のガイド体）で引出されるテープにテンションを掛けておき、テープの引出先側に位置されるガイド体（第１のガイド体）でテープの引出し方向を急激に変更して、テープからラベルを部分的（不完全）に剥離させ脱落しないようにすることで、手指でラベルの剥離された部分を掴んでテープから完全に剥離させ損傷しやすいデリケートな商品の包装表面等に丁寧に押付けて貼着することができるようにするものである。
【先行技術文献】
【特許文献】
【０００８】
【特許文献１】実開平１−７３１０７号公報
【特許文献２】実開昭５６−１１５３０７号公報
【考案の概要】
【考案が解決しようとする課題】
【０００９】
特許文献１に係るラベル剥離装置では、ラベル剥離部において、第１のガイド体よりもテープの引出先側に近接して不完全に剥離されたラベルを接着させて仮止めするラベル保持部が設けられているため、ラベルを不完全に剥離された状態でテープを長尺に引出すことができず、ラベルの１枚（テープの長さと直交する方向に複数列が整列されている場合には１列）ごとにテープの引出しを行わなければならず、人手によるラベルの貼着作業の迅速化に寄与することができないという問題点がある。また、特許文献２に係るラベル剥離装置では、ラベル剥離部において、第１のガイド体よりもテープの引出先側に近接してテープを拘束して無用の移動を阻止するテープ保持部が設けられているため、特許文献１に係るラベル剥離装置と同様の問題点がある。
【００１０】
この問題点を解決するためには、ラベル剥離部からラベル保持部（特許文献１），テープ保持部（特許文献２）を除去することが想到される。然しながら、ラベル剥離部からラベル保持部，テープ保持部を除去すると、テープ，ラベルに無用の移動，脱落が生じてしまい、ラベルの不完全な剥離が確実に行われなくなってしまうという新たな問題点が生じることになる。
【００１１】
本考案は、このような問題点を考慮してなされたもので、ラベルを確実に不完全な剥離状態とすることができしかも人手によるラベルの貼着作業の迅速化に寄与することのできるラベル剥離装置を提供することを課題とする。
【課題を解決するための手段】
【００１２】
前述の課題を解決するため、本考案に係るラベル剥離装置は、実用新案登録請求の範囲の各請求項に記載の手段を採用する。
【００１３】
即ち、請求項１では、テープの長さ方向にラベルが整列されて剥離可能に貼着されテープが巻回されたラベルロールを支持するラベルロール支持部と、テープの引出し方向に並列されその間にテープを通過させる２つのガイド体が設けられたラベル剥離部とを備えたラベル剥離装置において、ラベル剥離部のテープの引出先側に位置される第１のガイド体はテープのラベルが貼着されていない裏面が摺擦されてテープからラベルを剥離させ、ラベル剥離部のテープの引出元側に位置される第２のガイド体はテープのラベルが貼着されている表面が摺擦されラベルが第１のガイド体で剥離される際に剥離の途中までラベルの剥離側端の反対側端を摺擦するものであることを特徴とする。
【００１４】
この手段では、特許文献１，２に係るラベル剥離装置におけるラベル剥離部のラベル保持部，テープ保持部が除去されることで、ラベルを不完全に剥離された状態でテープを長尺に引出すことを可能にしてラベルの１枚ごとのテープの引出しを不要にし、第１のガイド体でテープからラベルが剥離される際に剥離の途中まで第２のガイド体でラベルの剥離側端の反対側端を摺擦することで、テープ，ラベルの無用の移動，脱落が阻止されるとともにラベルの完全な剥離が避けられる。
【００１５】
また、請求項２では、請求項１のラベル剥離装置において、ラベル剥離部から離間した位置にテープの引出先端部が固定されるテープ保持部が備えられていることを特徴とする。
【００１６】
この手段では、ラベル剥離部から離間した近接しない位置にテープの引出先端部が固定されるテープ保持部が備えられることで、テープの長尺の引出状態が保持される。
【００１７】
また、請求項３では、請求項１または２のラベル剥離装置において、ラベル剥離部は第２のガイド体よりもテープの引出元側に第２のガイド体との間にテープを通過させる第３のガイド体が設けられていることを特徴とする。
【００１８】
この手段では、ラベル剥離部に第２のガイド体との間にテープを通過させる第３のガイド体が設けられることで、ラベルロールから引出されたテープをラベルロールの径（テープの引出元点）にかかわらず第２の第２のガイド体へ一定の角度で案内することができる。
【００１９】
また、請求項４では、請求項３のラベル剥離装置において、ラベル剥離部の第１のガイド体，第２のガイド体，第３のガイド体は円柱形に形成され軸中心が直線状に配置されていることを特徴とする。
【００２０】
この手段では、ラベル剥離部の円柱形に形成された第１のガイド体，第２のガイド体，第３のガイド体の軸中心を直線状に配置されることで、テープが少ない湾曲でラベル剥離部を通過される。
【００２１】
また、請求項５では、請求項４のラベル剥離装置において、ラベル剥離部の第１のガイド体，第２のガイド体，第３のガイド体はテープの引出方向に対して角度を調整可能な共通のブラケットに固定されていることを特徴とする。
【００２２】
この手段では、ラベル剥離部の第１のガイド体，第２のガイド体，第３のガイド体がブラケットによってテープに対する角度を調整されることで、引出されるテープと第１のガイド体，第２のガイド体との摺擦度合を調整することができる。
【考案の効果】
【００２３】
本考案に係るラベル剥離装置は、特許文献１，２に係るラベル剥離装置におけるラベル剥離部のラベル保持部，テープ保持部が除去されることで、ラベルを不完全に剥離された状態でテープを長尺に引出すことを可能にしてラベルの１枚ごとのテープの引出しを不要にし、第１のガイド体でテープからラベルが剥離される際に剥離の途中まで第２のガイド体でラベルの剥離側端の反対側端を摺擦することで、テープ，ラベルの無用の移動，脱落が阻止されるとともにラベルの完全な剥離が避けられるため、ラベルを確実に不完全な剥離状態とすることができしかも人手によるラベルの貼着作業の迅速化に寄与することができる効果がある。
【００２４】
さらに、請求項２として、ラベル剥離部から離間した近接しない位置にテープの引出先端部が固定されるテープ保持部が備えられることで、テープの長尺の引出状態が保持されるため、引出されたテープに不完全な剥離状態で整列されているラベルを展開させて貼着作業の進捗に合わせて手指で連続的に完全に剥離させることができ、人手によるラベルの貼着作業の迅速化により寄与することができる効果がある。
【００２５】
さらに、請求項３として、ラベル剥離部に第２のガイド体との間にテープを通過させる第３のガイド体が設けられることで、ラベルロールから引出されたテープをラベルロールの径（テープの引出元点）にかかわらず第２の第２のガイド体へ一定の角度で案内することができるため、テープを確実に第２のガイド体に摺擦させてラベルをより確実に不完全な剥離状態とすることができる効果がある。
【００２６】
さらに、請求項４として、ラベル剥離部の円柱形に形成された第１のガイド体，第２のガイド体，第３のガイド体の軸中心を直線状に配置されることで、テープが少ない湾曲でラベル剥離部を通過されるため、ラベル剥離部の通過の際のラベルの損傷が防止される効果がある。
【００２７】
さらに、請求項５として、ラベル剥離部の第１のガイド体，第２のガイド体，第３のガイド体がブラケットによってテープに対する角度を調整されることで、引出されるテープと第１のガイド体，第２のガイド体との摺擦度合を調整することができるため、ラベルをより確実に不完全な剥離状態とすることができる効果がある。
【図面の簡単な説明】
【００２８】
【図１】本考案に係るラベル剥離装置を実施するための形態の第１例の斜視図である。
【図２】図１の要部の拡大図である。
【図３】図１の他の要部の分解状態の拡大図である。
【図４】図１のさらに他の要部の拡大図である。
【図５】図１の動作を示す側面図である。
【図６】本考案に係るラベル剥離装置を実施するための形態の第２例の斜視図である。
【考案を実施するための形態】
【００２９】
以下、本考案に係るラベル剥離装置を実施するための形態を図面に基づいて説明する。
【００３０】
図１〜図５は、本考案に係るラベル剥離装置を実施するための形態の第１例を示すものである。
【００３１】
第１例では、卓上設置タイプに構成されたものが示されている。なお、第１例で使用対象とするラベルロールＲは、剥離材が塗布されたテープＴの長さ方向にラベルＬが単列に整列されて剥離可能に貼着され、ラベルＬが内側になるようにテープＴが巻回されてなるものである。
【００３２】
第１例は、図１に示すように、機枠１，ラベルロール支持部２，ラベル剥離部３，テープ保持部４の各部で構成されている。
【００３３】
機枠１は、長尺の平板な底板１１の一端部に幅広に形成された安定板１２が設けられ、安定板１２からほぼ直角に起立板１３が立上げられている。起立板１３の下端部には、ラベル剥離部３を取付けるため取付孔１４が穿孔されている。起立板１３の取付孔１４の周囲には、取付孔１４の軸中心を中心とした放射状の角度目盛１５が設けられている。
【００３４】
この機枠１は、金属板の折曲げ加工や合成樹脂材の一体成形で形成されたもので、底板１１，安定板１２が卓上に載せられ、起立板１２が卓上から一定の高さに立上げられるようになっている。
【００３５】
ラベルロール支持部２は、図２に詳細に示されるように、機枠１の起立板１３の上端部にコ字形に形成されラベルロールＲの芯ロールが掛けられるロール受２１と、ロール受２１に掛けられラベルロールＲの芯ロールとの間に介装される補助ロール２２とからなる。補助ロール２２は、ロール受２１のラベルロールＲの芯ロールに対する抵抗を減少させて、ラベルロールＲに円滑な回転をもたらす。
【００３６】
このラベルロール支持部２は、卓上から一定の高さにラベルロールＲを回転可能に支持するものである。
【００３７】
ラベル剥離部３は、図３に詳細に示されるように、ラベルロール支持部２の下方である機枠１の起立板１３の下端部の取付孔１４に取付けられるブラケット３１と、ブラケット３１を機枠１の起立板１３に締付け固定する締付ナット３２と、締付ナット３２の緩みを阻止するロックナット３３と、ブラケット３１に固定されたガイド体（第１のガイド体３４，第２のガイド体３５，第３のガイド体３６）とからなる。ブラケット３１は、表面に第１のガイド体３４，第２のガイド体３５，第３のガイド体３６が固定される基板３１ａの裏面に機枠１の取付孔１４に挿通されるネジ棒３１ｂが突出されている。ブラケット３１のネジ棒３１ｂの軸中心線は、第２のガイド体３５の軸中心線と同一直線上にある。第１のガイド体３４（テープＴの引出先端側），第２のガイド体３５（中央），第３のガイド体３６（テープＴの引出元端側）は、同一の径の円柱形に形成されて軸中心が等間隔で近接され直線状になるように配置されて一方の端面がブラケット３１の基板３１ａに固定されている。従って、ブラケット３１を機枠１の取付孔１４に取付ける際に、角度目盛１５を参考にしながら直線状の配置の第１のガイド体３４，第２のガイド体３５，第３のガイド体３６のテープＴに対する角度を調整することができる。なお、第１のガイド体３４，第２のガイド体３５，第３のガイド体３６の円柱形の形状の選択と軸中心を直線状の配置とは、第１のガイド体３４，第２のガイド体３５，第３のガイド体３６を通過するテープＴの湾曲を少なくしてテープＴの損傷を回避することができる。
【００３８】
このラベル剥離部３は、ラベルロール支持部２に支持されている上方のラベルロールＲから卓上近くに引出されたテープＴからラベルＬを不完全に剥離するものである。
【００３９】
テープ保持部４は、図４に詳細に示されるように、機枠１の底板１１の先端部（安定板１２の反対側）を利用して機枠１の底板１１の長さ方向に直交する方向の一方が開放された断面コ字形になるように折重ねた格好の外枠４１と、外枠４１の内側面に固定された面状の弾性材４２とからなる。弾性材４２は、テープＴを挟込んで保持することのできる弾性を有している。
【００４０】
このテープ保持部４は、ラベル剥離部３を通過したテープＴの引出先端部を保持して、不完全な剥離状態で整列されているラベルＬを卓上近くに展開させるものである。
【００４１】
第１例を使用するには、図５に示すように、ラベルロール支持部２に支持されているラベルロールＲから引出されたテープＴをラベル剥離部３の第２のガイド体３５，第３のガイド体３６の間を通過させさらに第１のガイド体３４，第２のガイド体３５の間を通過させる。この結果、第３のガイド体３６にはテープＴの裏面（ラベルＬの貼着されていない面）が当接され、第２のガイド体３５にはテープＴの表面（ラベルＬが貼着されている面）が当接され、第１のガイド体３４にはテープＴの裏面が当接されることになる。
【００４２】
そして、テープＴをさらに引出して、テープＴの引出先端部をテープ保持部４に保持させる。テープＴの引出先端部については、テープ保持部４の外枠４１の開放されている側から弾性材４２の間に差込むことで簡単にテープ保持部４に保持させることができる。
【００４３】
テープＴがテープ保持部４に向けて引出されると、テープＴが第１のガイド体３４，第２のガイド体３５の間でテンションが掛けられ、第１のガイド体３４でテープＴの裏面が摺擦され、第２のガイド体３５でテープＴの表面（ラベルＬ）が摺擦される。そして、図５（Ａ）に示すように、第１のガイド体３４でテープＴの引出方向が急激に変更されることで、テープＴ，ラベルＬの硬軟質性，伸展性等の性質の相違と相まって、テープＴからラベルＬが剥離される（テープＴの引出し方向側である剥離側端から）。このとき、剥離されるラベルＬの剥離側端の反対側端が第１のガイド体３４に近接している第２のガイド体３５に摺擦されているため、反対側端における摺擦の押圧力の反力で剥離側端におけるラベルＬの剥離が円滑になされる。さらに、図５（Ｂ）に示すように、ラベルＬの剥離側端の反対側端の第２のガイド体３５による摺擦が解除されると、前述の反力の作用が消失するとともに、テープＴの引出方向の急激な変更に対してラベルＬに慣れ性が生ずることで、テープＴからのラベルＬの剥離が停止される。このため、図５（Ｃ）に示すように、ラベルＬが完全に剥離されることなく確実に不完全に剥離されてテープＴとともに引出される。なお、ラベルＬの剥離部分は、第１のガイド体３４の通過の後に、自重によってテープＴにわずかな部分が再貼着される場合もある。従って、ラベルＬの剥離部分が全体の２０〜５０％になるように設定しておくのが好ましい。また、第３のガイド体３６は、ラベルロールＲのテープＴの巻回量の変化で引出元点が移動した際に、テープＴの無用の緩みを防止して第２のガイド体３５に確実に当接させる機能を奏する。
【００４４】
ラベルＬの不完全な剥離状態については、テープＴ，ラベルＬの材質やラベルＬの大きさ等に対応して、ラベル剥離部３の締付ナット３２，ロックナット３３を緩めてブラケット３１の角度を調整し、第１のガイド体３４，第２のガイド体３５，第３のガイド体３６のテープＴに対する角度を調整することで、テープＴ，ラベルＬの第１のガイド体３４，第２のガイド体３５への摺擦度合いを調整し剥離の確実性を期すことができる。
【００４５】
ラベルＬが不完全な剥離状態で第１のガイド体３４の通過すると、第１のガイド体３４に近接して、特許文献１に係るラベル剥離装置のラベル保持部や特許文献２に係るラベル剥離装置のテープ保持部が設けられていないことから、ラベルＬの不完全な剥離状態が維持されたままテープＴとともに引出される。
【００４６】
そして、テープＴの引出先端部がテープ保持部４に保持されることで、機枠１の卓上に載っている長尺の底板１１の上に不完全な剥離状態で整列されているラベルＬが展開されその状態が保持される。従って、特許文献１，２に係るラベル剥離装置のようにラベルＬの１枚ごとにテープＴの引出作業を行わなくても、ラベルＬの貼着作業の進捗に合わせて、連続して手指でラベルＬの剥離部分を摘んで完全に剥離させることができるため、人手によるラベルＬの貼着作業の迅速化に寄与することができる。
【００４７】
図６は、本考案に係るラベル剥離装置を実施するための形態の第２例を示すものである。
【００４８】
第２例は、第１例のラベル剥離部３について、第１のガイド体３４，第２のガイド体３５，第３のガイド体３６の軸中心の間隔ａの異なるものや径ｂの異なるものを交換用部品としてセットしている。なお、ラベル剥離部３のブラケット３１，締付ナット３２，ロックナット３３については、共通化されている。
【００４９】
第２例によると、ラベル剥離部３を選択することで、種々のテープＴ，ラベルＬの材質やラベルＬの大きさ等に対応することが可能になる。
【００５０】
以上、図示した各例の外に、壁掛けタイプとして構成することも可能である。
【００５１】
さらに、ラベルＬがテープＴの長さ方向と直交する方向に複数列に整列されたものを使用対象とすることも可能である。
【００５２】
さらに、ラベル剥離部３の第１のガイド体３４，第２のガイド体３５，第３のガイド体３６を多角柱形とすることも可能である。この形態によると、テープＴのスリップを防止することができる。
【００５３】
さらに、ラベル剥離部３の第１のガイド体３４，第２のガイド体３５，第３のガイド体３６をブラケット３１に非直線状に配置することも可能である。
【符号の説明】
【００５４】
２            ラベルロール支持部
３            ラベル剥離部
３１          ブラケット
３４          第１のガイド体
３５          第２のガイド体
３６          第３のガイド体
４            テープ保持部
Ｌ            ラベル
Ｒ            ラベルロール
Ｔ            テープ
【図１】
0003165047.tif 000003
【図２】
0003165047.tif 000004
【図３】
0003165047.tif 000005
【図４】
0003165047.tif 000006
【図５】
0003165047.tif 000007
【図６】
0003165047.tif 000008
【手続補正書】
【提出日】平成22年10月25日(2010.10.25)
【手続補正１】
【補正対象書類名】実用新案登録請求の範囲
【補正対象項目名】請求項１
【補正方法】変更
【補正の内容】
【請求項１】
テープの長さ方向にラベルが整列されて剥離可能に貼着されテープが巻回されたラベルロールを支持するラベルロール支持部と、テープの引出し方向に並列されその間にテープを通過させる２つのガイド体が設けられたラベル剥離部とを備えたラベル剥離装置において、ラベル剥離部の２つのガイド体は柱形に形成されてラベルロールから引出されたテープが摺擦されてテープにテンションが掛けられように配置され、ラベル剥離部のテープの引出先側に位置される第１のガイド体はテープのラベルが貼着されていない裏面が摺擦されてテープの引出方向の急激な変更でテープからラベルを剥離させ、ラベル剥離部のテープの引出元側に位置される第２のガイド体はテープのラベルが貼着されている表面が摺擦されラベルが第１のガイド体で剥離される際に剥離の途中までラベルの剥離側端の反対側端を摺擦するものであることを特徴とするラベル剥離装置。
【手続補正２】
【補正対象書類名】明細書
【補正対象項目名】００１３
【補正方法】変更
【補正の内容】
【００１３】
即ち、請求項１では、テープの長さ方向にラベルが整列されて剥離可能に貼着されテープが巻回されたラベルロールを支持するラベルロール支持部と、テープの引出し方向に並列されその間にテープを通過させる２つのガイド体が設けられたラベル剥離部とを備えたラベル剥離装置において、ラベル剥離部の２つのガイド体は柱形に形成されてラベルロールから引出されたテープが摺擦されてテープにテンションが掛けられように配置され、ラベル剥離部のテープの引出先側に位置される第１のガイド体はテープのラベルが貼着されていない裏面が摺擦されてテープの引出方向の急激な変更でテープからラベルを剥離させ、ラベル剥離部のテープの引出元側に位置される第２のガイド体はテープのラベルが貼着されている表面が摺擦されラベルが第１のガイド体で剥離される際に剥離の途中までラベルの剥離側端の反対側端を摺擦するものであることを特徴とする。